(57)【要約】      （修正有）【課題】廃棄物を投入するための投入口の種類を変更したり、戻したりする際の利便性を高くすることが可能な廃棄物回収容器を提供する。【解決手段】廃棄物回収容器Ａが、開口１０を有し内部に廃棄物を収容する容器本体１と、開口１０に被せて容器本体１に取り付けられる投入口部材２とを備えており、投入口部材２には、複数種類の投入口２０が形成されており、投入口部材２の取り付け向きを変更することで、開口１０に対向する投入口２０の種類を選択する。【選択図】図１
0003190653.tif 000002
【実用新案登録請求の範囲】
【請求項１】
開口を有し内部に廃棄物を収容する容器本体と、上記開口に被せて上記容器本体に取り付けられる投入口部材とを備えており、
上記投入口部材には、複数種類の投入口が形成されており、上記投入口部材の取り付け向きを変更することで、上記開口に対向する上記投入口の種類を選択することを特徴とする廃棄物回収容器。
【請求項２】
上記投入口部材の外周形状は、回転対称性を有することを特徴とする請求項１に記載の廃棄物回収容器。
【請求項３】
上記投入口は、二行二列で四つ設けられてこの内の二つが選択的に上記開口に対向するとともに、行方向または列方向の一方に同じ種類の上記投入口が配置され、行方向または列方向の他方に異なる種類の上記投入口が配置されており、
上記投入口部材の外周形状は、角を丸めた正方形とされることを特徴とする請求項１または請求項２に記載の廃棄物回収容器。
【請求項４】
上記投入口部材は、上記容器本体の内側に取り付けられていることを特徴とする請求項１から請求項３の何れか一項に記載の廃棄物回収容器。
【請求項５】
上記容器本体は、底板と、この底板の外周に沿って起立する外囲体と、この外囲体の上端に取り付けた天井板とを備えており、
上記外囲体は、上記底板及び上記天井板に固定される側板と、この側板に揺動可能に取り付けられる扉とを備えており、この扉に上記開口が形成されるとともに、上記投入口部材が取り付けられることを特徴とする請求項１から請求項４の何れか一項に記載の廃棄物回収容器。
【請求項６】
上記容器本体の内部には、廃棄物を回収する中容器が設けられ、上記扉における上記開口の下側には、上記中容器に廃棄物を案内する傾斜板が取り付けられていることを特徴とする請求項５に記載の廃棄物回収容器。
【考案の詳細な説明】
【技術分野】
【０００１】
この考案は、廃棄物回収容器に関するものである。
【背景技術】
【０００２】
廃棄物回収容器は、一般的に、廃棄物を回収して廃棄物の散乱を防ぐため、街中や施設内に設置されている。廃棄物回収容器の中には、廃棄物を種類ごとに分別して回収できるように、回収目的である廃棄物の形状に合わせた投入口を有するものがある。例えば、缶やペットボトル入りの飲料を販売する自動販売機の横には、円形の投入口を備えた廃棄物回収容器が設置されており、上記投入口の直径を缶及びペットボトルの外径以上で、かつ、なるべく小さく設定して、回収目的廃棄物である缶、ペットボトル以外の廃棄物の投入を抑制している（例えば、特許文献１，２）。
【先行技術文献】
【特許文献】
【０００３】
【特許文献１】実用新案登録第３１１７８２１号公報（図１，２）
【特許文献２】特開２００９−１８８７４号公報（図１）
【考案の概要】
【考案が解決しようとする課題】
【０００４】
廃棄物回収容器に廃棄される廃棄物の種類は、廃棄物回収容器が設置される場所や流行等によって様々に変化する。例えば、廃棄物が飲料用容器である場合、従来、缶、ペットボトルが主流であったが、近年、チルドカップコーヒーの増加や、コンビニエンスストアでのコーヒーの提供、カフェでの飲料のテイクアウトの増加等に伴い、プラスチック或いは紙製のカップや、当該カップに蓋を被せた蓋付きカップ等の使い捨てカップが増加している。そして、このような使い捨てカップが従来の缶、ペットボトル用の投入口を有する廃棄物回収容器に投入された場合、上記使い捨てカップのサイズによっては、大径となる飲み口部分や蓋部分が投入口を通過せずに投入口に引っ掛かり、投入口を詰まらせてしまう不具合がある。
【０００５】
このような不具合の発生は、廃棄物が飲料用容器である場合に限られず、廃棄物回収容器の設置場所や流行、設置場所で催される行事等の使用環境の変化により、廃棄物回収容器に投入される廃棄物の種類が変化する場合において生じ得る。
【０００６】
特開２０１０−４２８７４号公報に開示の分別用ごみ容器においては、ごみを収容するごみ容器の蓋体に投入口部材が装着されている。当該投入口部材は、複種類用意されており、開閉蓋つきのごみの投入口を有する投入口部材や、円形の投入口を有する投入口部材等がある。このため、投入口部材の種類を変更することにより、廃棄物（ごみ）の種類の変化に対応することができる。
【０００７】
しかしながら、上記特開２０１０−４２８７４号公報に開示の分別用ごみ容器においては、廃棄物の種類の変化により使用しなくなった投入口部材を廃棄すると、設置場所の変更や、流行の終了、他の物の流行等で以前の投入口形状に戻したいときに、投入口部材の買い直しの必要性が生じる。また、この買い直しを防ぐために使用しない投入口部材の保管場所を確保しようとすると、廃棄物を投入するための投入口の種類の分だけ投入口部材の数があり嵩張る。このため、上記分別用ごみ容器においては、廃棄物を投入するための投入口の種類を変更したり、戻したりする際の利便性が低かった。
【０００８】
そこで、本考案の目的は、上記不具合を解消し、廃棄物を投入するための投入口の種類を変更したり、戻したりする際の利便性の高い廃棄物回収容器を提供することである。
【課題を解決するための手段】
【０００９】
上記課題を解決するための手段は、開口を有し内部に廃棄物を収容する容器本体と、上記開口に被せて上記容器本体に取り付けられる投入口部材とを備えており、上記投入口部材には、複数種類の投入口が形成されており、上記投入口部材の取り付け向きを変更することで、上記開口に対向する上記投入口の種類を選択することである。
【考案の効果】
【００１０】
本考案によれば、廃棄物を投入するための投入口の種類を変更したり、戻したりする際、投入口部材の取り付け向きを変更するのみでよく、投入口の種類を変更したり、戻したりする際の利便性を高くすることが可能となる。
【図面の簡単な説明】
【００１１】
【図１】本考案の一実施の形態に係る廃棄物回収容器を示した斜視図であり、容器本体の扉を開いた状態を示す。
【図２】図１の廃棄物回収容器の扉を閉じた状態を示した斜視図である。
【図３】図１の廃棄物回収容器の投入口部材の取付形態を示した説明図であり、（ａ）は、基本取付形態における投入口部材と開口との関係を示し、（ｂ）は、９０°回転取付形態における投入口部材と開口との関係を示し、（ｃ）は、１８０°回転取付形態における投入口部材と開口との関係を示し、（ｄ）は、２７０°回転取付形態における投入口部材と開口との関係を示す。
【図４】本考案の一実施の形態に係る廃棄物回収容器の投入口部材の変更例を示した背面図であり、（ａ）は第一の変更例を示し、（ｂ）は第二の変更例を示す。
【考案を実施するための形態】
【００１２】
以下に本考案の一実施の形態に係る廃棄物回収容器について、図面を参照しながら説明する。いくつかの図面を通して付された同じ符号は、同じ部品か対応する部品を示す。
【００１３】
図１，２に示すように、本実施の形態に係る廃棄物回収容器Ａは、開口１０を有し内部に廃棄物を収容する容器本体１と、上記開口１０に被せて上記容器本体１に取り付けられる投入口部材２とを備えており、上記投入口部材２には、複数種類の投入口２０が形成されており、上記投入口部材２の取り付け向きを変更することで、上記開口１０に対向する上記投入口２０の種類を選択する。上記廃棄物回収容器Ａは、本実施の形態において、鉄道駅のプラットホームに設置され、廃棄物として飲料用容器を回収し、リサイクルすることを目的とするものであるが、廃棄物回収容器Ａの設置場所や回収目的とする廃棄物の種類は、適宜変更することが可能である。
【００１４】
以下、本実施の形態に係る廃棄物回収容器Ａの各構成について、詳細に説明する。また、以下の説明において、図２中開口１０側を廃棄物回収容器Ａの「正面」、この反対側を「背面」、正面から見た廃棄物回収容器Ａの右側を「右側」、この反対側を「左側」とする。
【００１５】
内部に廃棄物を収容する容器本体１は、箱状に形成されており、底板１１と、この底板１１の外周に沿って起立する外囲体１２と、この外囲体１２の内側で上下中程に取り付けられた棚板１３と、外囲体１２の上端に取り付けた天井板１４とを備えており、内部に廃棄物を回収するための中容器３を収容している。図示しないが、中容器３には、ビニール袋が装着されており、当該ビニール袋に廃棄物を入れるようにしているので、ビニール袋を取り出すことで中容器３内の廃棄物を容易に回収できる。また、棚板１３を備えているので、棚板１３上のスペースにビニール袋のストックや、清掃用具等の備品を収容することができる。
【００１６】
廃棄物回収容器Ａにおいて、底板１１は、矩形板状で一辺を正面に向けて水平に配置されており、当該底板１１に中容器３が乗っている。外囲体１２は、正面側に開口して底板１１、棚板１３及び天井板１４が固定される平面視コ字状の側板１２ａと、この側板１２ａにヒンジを介して揺動可能に取り付けられる扉１２ｂとを備えており、この扉１２ｂを開いて中容器３内の廃棄物を回収できる。
【００１７】
扉１２ｂには、当該扉１２ｂの肉厚を貫通する開口１０が形成されるとともに、この開口１０の下側に、傾斜板１５が取り付けられている。開口１０及び傾斜板１５は、中容器３よりも上側に設けられており、傾斜板１５が扉１２ｂに連結される一端から下側に向けて傾斜しているので、開口１０から投入された廃棄物が傾斜板１５上を滑って中容器３内に投入される。つまり、当該傾斜板１５により、廃棄物を中容器３に案内することができるので、扉１２ｂを閉めたとき、中容器３と扉１２ｂとの間に隙間があっても、当該隙間に廃棄物が落下することを抑制できる。
【００１８】
なお、容器本体１の構成は適宜変更することが可能であり、棚板１３や傾斜板１５を廃するとしてもよい。また、容器本体１の高さが低い場合には、天井板１４部分を揺動式や、着脱式の蓋体として開閉できるようにし、当該蓋体に開口１０を形成してもよい。
【００１９】
また、本実施の形態において、容器本体１の内部に中容器３が収容されているので、中容器３にビニール袋を装着せず、中容器３ごと廃棄物を回収するようにしてもよいが、中容器３を廃してビニール袋を容器本体１の内部に直接引っ掛けられるようにしてもよい。さらに、本実施の形態のように、開口１０に一度に複数の投入口２０が対向できる場合、開口１０に対向する投入口２０一つに対して、一つの中容器３或いはビニール袋を設け、容器本体１内で廃棄物を分別できるようにしてもよい。
【００２０】
開口１０に被せて容器本体１に取り付けられる投入口部材２は、アルミ製の板状部材であり、容器本体１の扉１２ｂの内側にビス止めされている。投入口部材２の外周形状は、角を丸めた正方形とされており、投入口部材２の中心を回転中心として、４回回転対称となっている。つまり、投入口部材２の中心を回転中心として、投入口部材２を９０°、１８０°、２７０°、３６０°回転したときの外周形状が、回転前の外周形状と同じになるようになっている。
【００２１】
また、投入口部材２には、当該投入口部材２の肉厚を貫通する大小二種類の投入口２０が二つずつ形成されており、これら四つの投入口２０，２０・・・が二列二行に配置されている。そして、投入口部材２を容器本体１に取り付けたとき、これら四つの投入口２０，２０・・・のうちの二つが、開口１０に対向し、他の二つが容器本体１で塞がれるようになっている。以下、上記四つの投入口２０，２０・・・のうち、二つの大きい方の投入口２０をそれぞれ大投入口Ｌ、二つの小さい方の投入口２０をそれぞれ小投入口Ｓとする。
【００２２】
本実施の形態において、二つの大投入口Ｌ，Ｌを開口１０に対向させたときの形態を、投入口部材２の基本取付形態とすると、当該基本取付形態において、上側の行方向に二つの小投入口Ｓ，Ｓが配置され、下側の行方向に二つの大投入口Ｌ，Ｌが配置され、左右の列方向に小投入口Ｓと大投入口Ｌが一つずつ配置されるようになっている。なお、投入口部材２の中心を回転中心として投入口部材２を回転することで、当該投入口部材２の向きを変えて容器本体１に取り付けることができ、投入口部材２は天地が固定されるものではない。このため、投入口部材２の基本取付形態をどのように設定してもよく、投入口部材２が基本取付形態にあるとき、行方向に異なる種類の投入口２０が並び、列方向に同じ種類の投入口２０が並ぶようにしてもよい。
【００２３】
また、本実施の形態において、大投入口Ｌ及び小投入口Ｓは、共に円形である。そして、大投入口Ｌの直径が、使い捨てカップを通過させる直径に設定される一方、小投入口Ｓの直径が大投入口Ｌの直径よりも小さく、缶、ペットボトルをぎりぎり通せる直径に設定されている。なお、投入口２０の形状や大きさは、回収しようとする廃棄物の種類により適宜変更することが可能であり、例えば、投入口２０を横長矩形に形成して新聞紙、雑誌投入用としてもよい。
【００２４】
また、本実施の形態において、開口１０は、横長に形成されており、一度に二つの投入口２０が開口１０に横並びに対向できるようになっている。しかし、開口１０に一度に対向する投入口２０の数や配置は適宜変更することが可能であり、これに合わせて開口１０の形状も変更すべきである。例えば、一度に二つの投入口２０を縦に並べて開口１０に対向させるようにする場合、開口１０を縦長に形成することが好ましい。
【００２５】
また、本実施の形態において、投入口部材２がアルミ製の板状部材であり、凹凸の少ない極めてシンプルな形状となっている。このため、投入口部材２が汚れても、清掃が容易であり、投入口部材２を清潔に維持することが容易である。なお、投入口部材２の素材や形状は、上記の限りではなく、適宜変更することが可能である。
【００２６】
以下、本実施の形態における廃棄物回収容器Ａの投入口部材２の取付形態について説明する。
【００２７】
図３（ａ）に示すように、投入口部材２を容器本体１に取り付けたとき、開口１０に二つの大投入口Ｌ，Ｌを対向させるとともに、二つの小投入口Ｓ，Ｓを容器本体１で塞いだ状態を基本取付形態とすると、当該形態においては、二つの大投入口Ｌ，Ｌから廃棄物を容器本体１内に投入することが可能となる。
【００２８】
つづいて、基本取付形態の投入口部材２を図３中右側に９０°回転させて容器本体１に取り付けた状態を９０°回転取付形態とすると、当該形態においては、図３（ｂ）に示すように、開口１０に大投入口Ｌと小投入口Ｓが一つずつ対向し、これ以外が容器本体１で塞がれる。このため、９０°回転取付形態では、二種類（Ｌ，Ｓ）の投入口２０から廃棄物を容器本体１内に投入することが可能となる。
【００２９】
また、基本取付形態の投入口部材２を図３中右側に１８０°回転させて容器本体１に取り付けた状態を１８０°回転取付形態とすると、当該形態においては、図３（ｃ）に示すように、開口に二つの小投入口Ｓ，Ｓが対向し、二つの大投入口Ｌ，Ｌが容器本体１で塞がれる。このため、１８０°回転取付形態では、二つの小投入口Ｓ，Ｓから廃棄物を容器本体１内に投入することが可能となる。
【００３０】
また、基本取付形態の投入口部材２を図３中右側に２７０°回転させて容器本体１に取り付けた状態を２７０°回転取付形態とすると、当該形態においては、図３（ｄ）に示すように、９０°回転取付形態と同様に、開口１０に大投入口Ｌと小投入口Ｓが一つずつ対向し、これ以外が容器本体１で塞がれる。このため、２７０°回転取付形態でも、９０°回転取付形態と同様に、二種類（Ｌ，Ｓ）の投入口２０から廃棄物を容器本体１内に投入することが可能となる。
【００３１】
また、基本取付形態から投入口部材２を図３中右側に３６０°回転させると、基本取付形態に戻る。
【００３２】
つまり、本実施の形態においては、投入口部材２を回転し、投入口部材２の取り付け向きを変更することで、開口１０に対向させる投入口２０の種類を、大投入口Ｌのみ、大投入口Ｌと小投入口Ｓの混合、小投入口Ｓのみの何れかから選択できる。
【００３３】
このため、使い捨てカップが多く廃棄される設置環境では、二つの大投入口Ｌ，Ｌを開口１０に対向させる基本取付形態を採用して投入口２０の詰まりを防止し、使い捨てカップの廃棄が見込まれない設置環境では、二つの小投入口Ｓ，Ｓを開口１０に対向させる１８０°回転取付形態を採用して、缶、ペットボトル以外の異物混入を抑制し、使い捨てカップの廃棄が懸念される設置環境では、一つの大投入口Ｌと、一つの小投入口Ｓを開口１０に対向させて、缶、ペットボトルの回収を主な目的としながらも、一方の投入口２０（小投入口Ｓ）に使い捨てカップが詰まっても、他方の投入口２０（大投入口Ｌ）の詰まりを抑制する９０°、２７０°回転取付形態を採用する等、設置環境に応じた投入口２０の種類（Ｌ，Ｓ，ＬＳ混合）の選択が可能となる。
【００３４】
また、開口１０に対向して廃棄物を投入可能な投入口２０の種類を、設置環境の変化に応じて変更したり、戻したりする際、投入口部材２の取り付け向き（取付形態）を変更するのみでよい。つまり、廃棄物の種類の変化により、投入口２０の種類を変えたとしても、投入口部材２自体を交換する必要が無く、投入口部材２の向きを変えるだけでよいので、廃棄物を投入するための投入口２０の種類を変更したり、戻したりする際の利便性が高い。
【００３５】
以下、本実施の形態の廃棄物回収容器Ａの作用効果について説明する。
【００３６】
本実施の形態において、容器本体１の内部には、廃棄物を回収する中容器３が設けられ、扉１２ｂにおける開口１０の下側には、中容器３に廃棄物を案内する傾斜板１５が取り付けられている。
【００３７】
上記構成によれば、扉１２ｂを閉めたとき、扉１２ｂと中容器３との間に隙間が空いている場合であっても、上記隙間に廃棄物が落下することを抑制できる。なお、廃棄物回収容器Ａの構成は、上記の限りではなく、中容器３や傾斜板１５の一方または両方を備えていなくてもよい。
【００３８】
また、本実施の形態において、容器本体１は、底板１１と、この底板１１の外周に沿って起立する外囲体１２と、この外囲体１２の上端に取り付けた天井板１４とを備えている。そして、上記外囲体１２は、上記底板１１及び上記天井板１４に固定される側板１２ａと、この側板１２ａに揺動可能に取り付けられる扉１２ｂとを備えており、この扉１２ｂに開口１０が形成されるとともに、投入口部材２が取り付けられている。
【００３９】
上記構成によれば、扉１２ｂを開いたときに投入口部材２の取り付け向きを変更することが可能となり、当該作業を容易にすることが可能となる。なお、容器本体１の構成は、上記の限りではなく、適宜変更することが可能である。例えば、容器本体１の高さが低く、天井板１４が低い位置に設けられる場合には、天井板１４部分を開閉式の蓋体として、当該蓋体に開口１０を形成し、投入口部材２を取り付けるようにしてもよい。
【００４０】
また、本実施の形態において、投入口部材２は、容器本体１の内側に取り付けられている。
【００４１】
上記構成によれば、開口１０に対向させていない投入口２０を容器本体１で隠すことができるので、廃棄物回収容器Ａの美観を向上させることができるが、投入口部材２が容器本体１の外側に取り付けられるとしてもよい。
【００４２】
また、本実施の形態において、投入口２０は、二行二列で四つ設けられてこの内の二つが選択的に開口１０に対向するとともに、行方向または列方向の一方に同じ種類の投入口２０が配置され、行方向または列方向の他方に異なる種類の投入口２０が配置されている。さらに、投入口部材２の外周形状は、角を丸めた正方形とされる。
【００４３】
基本取付形態における上下方向の並びを列、同左右方向の並びを行とすると、上記構成によれば、９０°刻みで投入口部材２を回転することにより、一方の列に配置される二つの投入口２０を開口１０に対向させる形態と、他方の列に配置される二つの投入口２０を開口１０に対向させる形態と、一方の行方向に配置される二つの投入口２０を開口１０に対向させる形態と、他方の行方向に配置される二つの投入口２０を開口１０に対向させる形態の、４種類の取付形態を実現できる。
【００４４】
そして、例えば、本実施の形態のように、一方の行方向に大投入口Ｌを二つ並べるとともに他方の行方向に小投入口Ｓを並べ、両方の列方向に大投入口Ｌと小投入口Ｓが一つずつ並ぶように設定する場合には、上記何れかの取付形態を採用することで、開口１０に対向する投入口２０の種類を、大投入口Ｌのみ、小投入口Ｓのみ、大投入口Ｌと小投入口Ｓの混合の三種類から選択できる。
【００４５】
さらには、投入口部材２の外周形状が角を丸めた正方形とされるので、二行二列で並ぶ投入口２０を効率的に配置することができるとともに、四回回転対称とでき、上記何れの取付形態を採用する場合にも、投入口部材２の取付位置を変更しなくて済む。
【００４６】
なお、開口１０に一度に対向させる投入口２０の数は、一または三以上であるとしてもよく、開口１０の形状や投入口部材２の外周形状も適宜変更することが可能である。図４には、投入口部材２の変更例を記載している。図４（ａ）に示す第一の変更例に係る投入口部材２Ａの外周形状は、正三角形で三回回転対称である。そして、上記投入口部材２Ａには、二つの大投入口Ｌ，Ｌと、一つの小投入口Ｓが形成されており、このうちの二つの投入口２０が開口１０に対向するようになっている。当該変更の形態においても、投入口部材２Ａの向きを変えて開口１０に対向する投入口２０の種類を変更したとき、投入口部材２Ａの取付位置を変更しなくて済む。また、図４（ｂ）に示す第二の変更例に係る投入口部材２Ｂの外周形状は、円形となっており、何度回転しても、元の外周形状に重なるようになっている。そして、上記投入口部材３Ｂには、大中小（Ｌ，Ｍ，Ｓ）の投入口２０が形成されており、このうちの一つの投入口２０が開口１０に対向するようになっている。当該変更の形態においても、投入口部材２Ｂの向きを変えて開口１０に対向する投入口２０の種類（Ｌ，Ｍ，Ｓ）を変更したとき、投入口部材２Ｂの取付位置を変更しなくて済む。
【００４７】
さらに、上記各投入口２０の形状は、円形であるが、円形以外であるとしてもよい。例えば、投入口２０の一つが、開口１０に対向したとき横長矩形とされ、新聞紙や雑誌を投入できるようにされる等、回収したい廃棄物の形状に応じて投入口２０の形状や大きさを適宜変更することが可能である。
【００４８】
また、本実施の形態において、投入口部材２の外周形状は、回転対称性を有する。
【００４９】
上記構成によれば、投入口部材２の外周形状が、ｎ回回転対称である場合、（３６０／ｎ）°回転したときの外周形状が元の形状と一致するので、投入口部材２の取付位置を一定にすることが容易である。本実施の形態において、投入口部材２をビス止めにより容器本体１に取り付けているので、投入口部材２の向き（取付形態）を変更したとしても、共通のビス止め用の孔を利用できる。
【００５０】
なお、投入口部材２の容器本体１への取り付け方法は、適宜変更することが可能であり、例えば、磁石やクリップ止め、スライド式等であってもよい。また、投入口部材２の取付方法によっては、投入口部材２が回転対称性を有していなくてもよく、投入口部材２の外周形状は、適宜変更することが可能である。
【００５１】
また、本実施の形態において、廃棄物回収容器Ａは、開口１０を有し内部に廃棄物を収容する容器本体１と、上記開口１０に被せて上記容器本体１に取り付けられる投入口部材２とを備えており、上記投入口部材２には、複数種類の投入口２０が形成されており、上記投入口部材２の取り付け向きを変更することで、上記開口１０に対向する上記投入口２０の種類を選択する。
【００５２】
上記構成によれば、開口１０に対向する投入口２０の種類を選択することで、廃棄物を投入するための投入口２０の種類を変更したり、戻したりする際、投入口部材２の取り付け向きを変更するのみでよい。このため、廃棄物を投入するための投入口２０の種類を変更したり、戻したりする際の利便性を高くすることが可能となる。
【００５３】
以上、本考案の好ましい実施の形態を詳細に説明したが、実用新案登録請求の範囲から逸脱することなく改造、変形及び変更を行うことができることは理解すべきである。
【符号の説明】
【００５４】
Ａ  廃棄物回収容器
１  容器本体
２  投入口部材
３  中容器
１０  開口
１１  底板
１２  外囲体
１２ａ  側板
１２ｂ  扉
１４  天井板
１５  傾斜板
２０（Ｌ）  投入口（大投入口）
２０（Ｓ）  投入口（小投入口）
【図１】
0003190653.tif 000003
【図２】
0003190653.tif 000004
【図３】
0003190653.tif 000005
【図４】
0003190653.tif 000006